(57)【要約】【課題】  鏡餅容器を保護する新規な鏡餅容器用台材を提供することにある。【解決手段】  鏡餅容器用台材１０は、餅を収容する収容部４１と、収容部４１の下端に収容部底面４２を外延するフランジ部４６とを備えた鏡餅容器４０にあって、開口孔２１を形成して収容部４１を貫通しつつフランジ部上面４７を被覆する表面被覆部２０と、フランジ部下面４８及び収容部底面４２を被覆する裏面被覆部３０とを備える。【選択図】  図１
0003161461.tif 000002
【実用新案登録請求の範囲】
【請求項１】
餅を収容する収容部と、収容部の下端に収容部底面を外延するフランジ部とを備えた鏡餅容器にあって、開口孔を形成して収容部を貫通しつつフランジ部上面を被覆する表面被覆部と、フランジ部下面及び収容部底面を被覆する裏面被覆部とを備えたことを特徴とする鏡餅容器用台材。
【請求項２】
表面被覆部は、貫通した収容部に嵌合する開口孔を形成したことを特徴とする請求項１記載の鏡餅容器用台材。
【請求項３】
裏面被覆部は、フランジ部と係止する係止部を設けたことを特徴とする請求項１又は２記載の鏡餅容器用台材。
【請求項４】
係止部は、フランジ部外縁に引っ掛ける切れ目であることを特徴とする請求項３記載の鏡餅容器用台材。
【請求項５】
請求項１から請求項４のいずれかに記載の鏡餅容器用台材を備えたことを特徴とする鏡餅容器。
【考案の詳細な説明】
【技術分野】
【０００１】
本願考案は、餅を収容する収容部と、収容部の下端に収容部底面を外延するフランジ部とを備えた鏡餅容器に関するものである。
【背景技術】
【０００２】
鏡餅は、平たく円形の鏡のように作った餅で、大小２個を重ね、正月に神仏に供え、または吉例の時などに用いられるものである。但し、近年では、餅をそのまま供えると、カビが生えたり、ひび割れが生じたりするために、プラスチック製の容器などに入れたものが広く製造・販売されている。
【０００３】
このような鏡餅容器は、鏡餅の衛生面・品質面等では非常に優れた効果を発揮するが、確実な密閉状態を保持する構造であるがために逆に鏡餅を容器から容易に取り出せないという欠点があった。これに対しては、特許文献１などのように、鏡餅容器の開封を容易にする技術が種々研究・開発されている。
【先行技術文献】
【特許文献】
【０００４】
【特許文献１】特開平５−１９３６８６号公報
【考案の開示】
【考案が解決しようとする課題】
【０００５】
本願出願人も、鏡餅容器の開封を容易にする技術として、図３に示す技術を開発した。  図３は、鏡餅を収容する収容部６１と、収容部６１の下端に収容部底面を外延するフランジ部６６とを備えた鏡餅容器６０を示すものである。そして、フランジ部６６の一部に切れ込み６７を備えており、この切れ込み６７を用いることで手で簡単に鏡餅容器６０を裂いて鏡餅を取り出せる構造になっている（以前は刃物等で鏡餅容器を切って取り出していた）。
【０００６】
しかしながら、この切れ込み６７を備えることで、何らかの原因（例えば、鏡餅容器６０の落下や、鏡餅容器６０の運搬や積上による負荷などが考えられる）で鏡餅容器６０に強い衝撃が加わると鏡餅容器６０にヒビの入ることが想定される。すなわち、鏡餅容器６０にヒビが入ると鏡餅容器６０は密閉状態ではなくなり、収容する鏡餅の衛生・品質を維持できなくなる。
【課題を解決するための手段】
【０００７】
そこで、本願考案者は、上記課題を解決すべく、本願考案を完成するに至った。
本願考案に係る第１の考案は、餅を収容する収容部と、収容部の下端に収容部底面を外延するフランジ部とを備えた鏡餅容器にあって、開口孔を形成して収容部を貫通しつつフランジ部上面を被覆する表面被覆部と、フランジ部下面及び収容部底面を被覆する裏面被覆部とを備えたことを特徴とする鏡餅容器用台材である。
第２の考案は、表面被覆部が、貫通した収容部に嵌合する開口孔を形成したことを特徴とする同鏡餅容器用台材である。
第３の考案は、裏面被覆部が、フランジ部と係止する係止部を設けたことを特徴とする同鏡餅容器用台材である。
第４の考案は、係止部が、フランジ部外縁に引っ掛ける切れ目であることを特徴とする同鏡餅容器用台材である。
第５の考案は、上記第１から第４の鏡餅容器用台材を備えたことを特徴とする鏡餅容器である。
【考案の効果】
【０００８】
本願考案によれば、以下のような効果を有する。
（１）鏡餅容器用台材が、鏡餅容器のフランジ部上面とフランジ部下面及び収容部底面とを被覆することで、鏡餅容器のフランジ部分を全て覆うこととなり、鏡餅容器に強い衝撃が加わっても鏡餅容器用台材がその衝撃を吸収し、鏡餅容器の割れ・ヒビを防止することができるようになる。
（２）表面被覆部が貫通した収容部に嵌合する開口孔を形成したことで、鏡餅容器用台材内において鏡餅容器のガタツキやズレを防止して鏡餅容器用台材と鏡餅容器との一体性を高め、鏡餅容器に対する衝撃を軽減・分散させることができる。
（３）裏面被覆部がフランジ部と係止する係止部（例えば、フランジ部外縁に引っ掛ける切れ目など）を設けたことで、鏡餅容器用台材内において鏡餅容器のガタツキやズレを防止して鏡餅容器用台材と鏡餅容器との一体性を高め、鏡餅容器に対する衝撃を軽減・分散させることができる。
（４）ここで、上記第２の考案と上記第３の考案（上記第４の考案も含む）の両方を兼ね備えることで、鏡餅容器用台材が二重に鏡餅容器を固定することとなり、さらに鏡餅容器用台材と鏡餅容器との一体性を高め、鏡餅容器に対する衝撃を軽減・分散させることができて、鏡餅容器を保護する機能を発揮することとなる。
（５）すなわち、鏡餅容器用台材が、鏡餅容器のフランジ部上面とフランジ部下面及び収容部底面とを被覆することで、鏡餅容器の保護ができる。
（６）また、鏡餅容器に台材を設けることで、高級感やデザイン性を付与することが可能になり、見栄えを良くする効果が得られる。
【図面の簡単な説明】
【０００９】
【図１】本願考案に係る鏡餅容器用台材の第１実施形態を示す説明図。
【図２】本願考案に係る鏡餅容器用台材の第２実施形態を示す説明図。
【図３】鏡餅容器の開封を容易にする従来技術を示す説明図。
【考案を実施するための形態】
【００１０】
本考案の実施形態を図面に基づいて説明する。
図１は、本願考案に係る鏡餅容器用台材の第１実施形態を示す説明図である。
図１に示す鏡餅容器用台材１０は、餅を収容する収容部４１と、収容部４１の下端に収容部底面４２を外延するフランジ部４６とを備えた鏡餅容器４０にあって、開口孔２１を形成して収容部４１を貫通しつつフランジ部上面４７を被覆する表面被覆部２０と、フランジ部下面４８及び収容部底面４２を被覆する裏面被覆部３０とを備える。
【００１１】
図１に示すように、鏡餅容器４０のフランジ部４６を鏡餅容器用台材１０によって被覆することで、鏡餅容器４０に強い衝撃が加わっても鏡餅容器用台材１０がその衝撃を吸収する。これによって、鏡餅容器４０に設けられた切れ込み４９からの割れ・ヒビ等を防止することができるようになる。
【００１２】
図２は、本願考案に係る鏡餅容器用台材の第２実施形態を示す説明図である。
図２に示す鏡餅容器用台材１０は、基本的構造は図１に示す第１実施形態と同様であるが、以下の点を改善している。
（１）開口孔２１の直径を貫通させる収容部４１に嵌合する寸法にしたこと。
（２）フランジ部４６に係止する係止部として、裏面被覆部３０に切れ目３１を設けたこと。なお、係止部としては、切れ目３１に限らず、接着手段や締結手段などを使用してフランジ部４６や収容部底面４２に裏面被覆部３０を固定するものであればよい。
【００１３】
図２に示すように、上記（１）及び（２）による改善で鏡餅容器用台材１０内において鏡餅容器４０のガタツキやズレを防止して鏡餅容器用台材１０と鏡餅容器４０との一体性が高まる。これにより、図１に示す第１実施形態と比較してさらに鏡餅容器４０に対する衝撃を軽減・分散させることができる。その結果、鏡餅容器４０に設けられた切れ込み４９からの割れ・ヒビ等を確実に防止することができるようになる。
【産業上の利用可能性】
【００１４】
本願考案の鏡餅容器用台材は、鏡餅容器を保護する部材として幅広く利用されるものである。
【符号の説明】
【００１５】
１０  鏡餅容器用台材
２０  表面被覆部
２１  開口部
３０  裏面被覆部
３１  切れ目
４０  鏡餅容器
４１  収容部
４２  収容部底面
４６  フランジ部
４７  フランジ部上面
４８  フランジ部下面
４９  切れ込み
６０  鏡餅容器（従来技術）
６１  収容部
６６  フランジ部
６７  切れ込み
【図１】
0003161461.tif 000003
【図２】
0003161461.tif 000004
【図３】
0003161461.tif 000005